(57)【特許請求の範囲】
【請求項１】
引き戸の端部に設けた錠ケース内に、先端部が該錠ケースの前面より出没可能なトリガと、上記錠ケースに設けられたピン軸に枢着され、上記ケースの前面から出没してストライクに係脱する係合部を有する鎌金と、該鎌金を施錠角度及び解錠角度方向に付勢する押圧用スプリングと、上記錠ケースに設けられた支軸に枢着され、一端部が上記トリガに係合し他端部が上記鎌金に枢着されたカムプレートと、引き戸の内側及び外側表面に固着される内側エスカッション及び外側エスカッションと、該両エスカッションにそれぞれ一端が枢着される内側及び外側ハンドルと、上記両エスカッションの間に設けられた枢軸に中央部を枢着され、一端が上記カムプレートに枢着され、他端に上記ハンドルの他端に押される被押動部を有するレトラクタとを設けたことを特徴とする戸先錠。
【請求項２】
上記内側及び外側ハンドルは、引き戸を開く方向に操作する手掛け用突起と、該手掛け用突起を操作したときに上記レトラクタ及びカムプレートを介して上記鎌金を没入方向に押動する押動部を有することを特徴とする請求項１記載の戸先錠。
【請求項３】
上記内側エスカッションに回動可能に設けられるサムターンと、該サムターンに連結され、施錠方向に回動したときに上記レトラクタの回動を阻止するプラグとを設けたことを特徴とする請求項１記載の戸先錠。
【発明の詳細な説明】
【０００１】
【発明の属する技術分野】
本発明は、引き戸の端部に設けられ、引き戸を閉めたときに引き戸を自動施錠する戸先錠に関する。
【０００２】
【従来の技術】
戸先錠に関する従来技術には、実公平６−１１３２８号公報に記載の技術などがある。
同公報に記載の「引戸取手の取付け装置」は、図８に示すように引き戸Ｄの端部には、引き戸Ｄの内側表面及び外側表面に内側化粧座１０１及び外側化粧座１０２が取り付けられ、内側化粧座１０１の表面に形成される凹部に内側の操作プレート１０３の屈曲部が枢着され、外側化粧座１０２の表面に形成される凹部に外側の操作プレート１０４の屈曲部が枢着される。
【０００３】
操作プレート１０３の把手部１０３ａを矢印Ｒ方向に引くと、突起部１０３ｂが図８において右側に移動する。
操作プレート１０４の把手部１０４ａを矢印Ｒ′方向に引くと、突起部１０４ｂが図８において右側に移動する（図８参照）。
【０００４】
両化粧座１０１と１０２の間に錠箱１０５が設けられ、錠箱１０５の前面に前面プレート１０６が固着される。
前面プレート１０６に設けられた開口１０７から、錠箱１０５内の軸１０８に枢着された鎌金１０９が出没可能である。
鎌金１０９の下方には、先端が前面プレート１０６から出没可能なトリガーボルト１１０が設けられ、トリガーボルト１１０には上方に開口する切欠凹部１１１が形成される（図９参照）。
【０００５】
錠箱１０５の後面に設けられた開口より出没可能な摺動部材１１２には、下方に突出する突起１１３が設けられ、突起１１３と切欠凹部１１１との間にスプリング１１４が挿入される。
従って、トリガーボルト１１０は、先端が前面プレート１０６から突出する方向に付勢され、引き戸Ｄが閉められたときに框側に押されて没入し、スプリング１１４を介して摺動部材１１２を後方（図９において右方向）に押動する。
後方に押された摺動部材１１２は、操作プレート１０３或いは１０４が回動操作されたときに、突起部１０３ｂ或いは１０４ａに押されて前進する。
【０００６】
摺動部材１１２には上面に開口する凹部１１５が設けられ、錠箱１０５内に設けられたピン軸１１６に中央部を枢着されたレバー１１７の下端部に、凹部１１５に挿入されるピン軸１１８が設けられる。
レバー１１７の上部に設けられたピン軸１１９は、鎌金１０９に設けられた長孔１２０に挿入される（図９参照）。
【０００７】
従って、引き戸Ｄを閉めると、框側に押されたトリガーボルト１１０が前面プレート１０６より没入し、スプリング１１４に押された摺動部材１１２が後方（図９において右方向）に移動する。
摺動部材１１２の後方移動により、レバー１１７がピン軸１１６を支点として反時計方向に回動し、レバー１１７のピン軸１１９に係合する鎌金１０９が軸１０８を支点として時計方向に回動して前面プレート１０６より突出し、鎌金１０９の係合凹部１２１が框側のストライク（図示しない）に係合し、引き戸が閉鎖状態に係止される。
【０００８】
この状態で、操作プレート１０３或いは１０４を操作して摺動部材１１２を前方（図９において左方向）に移動すると、摺動部材１１２の切欠凹部１１１に係合するレバー１１７がピン軸１１６を支点として時計方向に回動し、レバー１１７に係合する鎌金１０９が軸１０８を支点として反時計方向に回動して前面プレート１０６内に没入し、鎌金１０９の係合凹部１２１と框側のストライク（図示しない）との係合が解除されるので、引き戸Ｄを開くことができる。
【０００９】
【発明が解決しようとする課題】
然し、このような引戸取手の取付け装置においては、下記のような課題があった。
(1)  引き戸Ｄを激しく閉めたときに、慣性力で摺動部材１１２がスプリング１１４に抗して前進（図９で左方向へ移動）し、このために鎌金１０９が没入すると共に、衝突の衝撃を受けた引き戸Ｄが跳ね返されるので、鎌金１０９が框側のストライクに係合しない状態、すなわち、引き戸Ｄが仮施錠されない虞がある。
【００１０】
(2)  引き戸Ｄを開くときには、操作プレート１０３の把手部１０３ａ（或いは１０４把手部１０４ａ）を引き戸Ｄから遠ざかる方向に引いて鎌金１０９の係合を解除する動作と、次に、操作プレート１０３（或いは１０４）を引いたままの状態を保持しながら引き戸Ｄを開く２つの動作が必要であるので、引き戸Ｄの操作性がよくない。
本発明はかかる課題を解決することを目的としており、引き戸Ｄを閉めたときに確実に仮施錠され、開扉時には、簡単な操作で容易に開けることができる戸先錠を提供するものである。
【００１１】
【課題を解決するための手段】
上記目的を達成するために、本発明の戸先錠においては、
引き戸の端部に設けた錠ケース内に、先端部が該錠ケースの前面より出没可能なトリガと、上記錠ケースに設けられたピン軸に枢着され、上記ケースの前面から出没してストライクに係脱する係合部を有する鎌金と、該鎌金を施錠角度及び解錠角度方向に付勢する押圧用スプリングと、上記錠ケースに設けられた支軸に枢着され、一端部が上記トリガに係合し他端部が上記鎌金に枢着されたカムプレートと、引き戸の内側及び外側表面に固着される内側エスカッション及び外側エスカッションと、該両エスカッションにそれぞれ一端が枢着される内側及び外側ハンドルと、上記両エスカッションの間に設けられた枢軸に中央部を枢着され、一端が上記カムプレートに枢着され、他端に上記ハンドルの他端に押される被押動部を有するレトラクタとを設けた。
【００１２】
上記内側及び外側ハンドルは、引き戸を開く方向に操作する手掛け用突起と、該手掛け用突起を操作したときに上記レトラクタ及びカムプレートを介して上記鎌金を没入方向に押動する押動部を有するように構成するとよい。
上記内側エスカッションに回動可能に設けられるサムターンと、該サムターンに連結され、施錠方向に回動したときに上記レトラクタの回動を阻止するプラグとを備えた施錠機構を設けることができる。
【００１３】
【発明の実施の形態】
本発明の実施の形態の具体例について図面を参照して説明すると、図１は開扉状態における戸先錠の要部を破断して室外側から見た図面、図２は図１の一部を破断したＸ矢視図、図３は戸先錠を引き戸の端面側から見た図面、図４は戸先錠を引き戸の室内側から見た図面、図５は戸先錠を引き戸の室外側から見た図面、図６は戸先錠のエスカッション部分の横断面図、図７は戸先錠を構成する主要部品の斜視図である。
戸先錠の錠ケース１は箱形に形成され、引き戸Ｄの端面に設けられた凹部に装着され、引き戸Ｄの両表面を貫通して上記の凹部に連通する貫通孔を、内側エスカッション２及び外側エスカッション３で被覆する。
【００１４】
錠ケース１の前壁であるセカンドフロント４の表面にフロント５が取り付けられ、フロント５及びセカンドフロント４には、鎌金用開口６とトリガ用開口７が貫通し、その上方及び下方にねじ挿通用孔８が設けられる。
ねじ挿通用孔８にねじ９が挿通され、ねじ９の先端部が引き戸Ｄの端面にねじ込まれることにより、錠ケース１が引き戸Ｄに固着される（図３，図５参照）。
【００１５】
外側エスカッション３の上端部及び下端部に、裏面より突出する突起１０が設けられ（図３参照）、突起１０の先端にねじ孔が設けられる。
内側エスカッション２には、２つの突起１０に相対する位置にそれぞれねじ挿通用孔１１が設けられる。
外側エスカッション３及び内側エスカッション２を引き戸Ｄの室外側及び室内側の表面に当接し、ねじ挿通用孔１１に挿入されるねじ１２を突起１０のねじ孔に螺合することにより、外側エスカッション３及び内側エスカッション２が引き戸Ｄに固着される（図３参照）。
【００１６】
錠ケース１内に挿入され、先端がトリガ用開口７から出没可能なトリガ１３の中間部にばね係止孔１４が設けられ、後端部にスリット１５が設けられる（図７参照）。
錠ケース１の下壁にトリガスプリング１６が枢着され、トリガスプリング１６の一端１６ａがばね係止孔１４に係止され、他端１６ｂが錠ケース１に内面に圧接する（図１参照）。
従って、トリガ１３は、トリガ用開口７から突出する方向に付勢される。
【００１７】
錠ケース１の両側壁に支軸１７の両端部が固定され、カムプレート１８に設けられた孔１９に支軸１７が挿入される。
カムプレート１８は、図７において下端部に形成される突起２０が、トリガ１３のスリット１５に挿入される（図７参照）。
【００１８】
錠ケース１の両側壁にピン軸２２の両端部が固定され、鎌金２３の一端部（図７において右端部）に設けられた孔２４にピン軸２２が挿入される。
鎌金２３の外面には２つの傾斜した平面部２５，２６が形成され、錠ケース１に形成された軸２７に押圧用スプリング２８が枢着され、押圧用スプリング２８の一端２８ａが鎌金２３に平面部２５，２６のうちの何れか一方に圧接し、他端２８ｂが錠ケース１の上壁の内面に係止される（図１，図７参照）。
【００１９】
鎌金２３の左端部には、框側に設けられたストライク（図１参照）の受け孔に係脱する鉤状の係合部２９が形成される。
鎌金２３の下端面の右側部には外面に開口するスリット状の凹部３０が設けられ、鎌金２３の両側面及び凹部３０を貫通する「へ」の字状の屈曲長孔３１が設けられる。
カムプレート１８の上端部に設けられた孔３２に、ピン３３の中間部が固着され、ピン３３の両端部が屈曲長孔３１の中に摺動可能に挿入される（図１，図７参照）。
【００２０】
内側エスカッション２に回動可能に設けられるサムターン３４の一端に、室内側から操作する摘み３５が設けられ、サムターン３４の他端面に非円形孔（本実施例では角孔）３６が設けられ、外側エスカッション３には、サムターン３４に相対する位置にエマージェンシイプラグ３７が回動可能に設けられる。
エマージェンシイプラグ３７は、外側エスカッション３の裏面から突出する軸部３８を有し、軸部３８の外周面に平面状の切欠部３９が形成され、軸部３８の端面には、非円形孔３６に係入する角軸４０が延設される。
エマージェンシイプラグ３７の前端面に、非常解錠時に使用する底の浅いスリット４１が設けられる（図７参照）。
【００２１】
外側エスカッション３の裏面に枢軸４２及び案内軸４３が固定され（図２参照）、レトラクタ４４の一端に設けられた孔４５に枢軸４２が挿入される。
従って、レトラクタ４４は枢軸４２を支点として回動可能である。
レトラクタ４４の一端（右端）から下方に延びる被押動部４６に、ほぼ直角に屈曲する被押動壁４６ａが形成される。
レトラクタ４４には、案内軸４３が挿入される円弧状孔４７と、他端部（左端部）の側面から突出する係合ピン４８が設けられ、係合ピン４８は、カムプレート１８に設けられた孔４９に挿入される（図１，図７参照）。
【００２２】
内側エスカッション２及び外側エスカッション３の表面に凹部５０及び５１が設けられ（図６参照）、凹部５０の底壁に設けられた孔に頭部付きの内側ハンドル軸５２（図７参照）の先端が固着され、凹部５１の底壁に設けられた孔に頭部付きの外側ハンドル軸５３の端部が嵌着される（図２，図７参照）。
内側ハンドル５４の下端に形成された凹部５５に、内側ハンドル軸５２に枢着される孔５６が設けられ、内側ハンドル５４には、図７において右側面に手掛け用突起５７，右側面に長孔５８が形成される（図４，図７参照）。
【００２３】
内側ハンドル５４の上端に、レトラクタ４４の被押動壁４６ａに接触する押動部５９が形成され、ハンドル軸５２に巻回されるスプリング６０の一端６０ａが、内側ハンドル５４の凹部５５に圧接し、他端６０ｂが内側エスカッション２の内壁面に圧接する。
従って、内側ハンドル５４は内側ハンドル軸５２を支点として図４において時計方向に付勢される。
【００２４】
外側ハンドル６１の下端に形成された凹部６２に、外側ハンドル軸５３に枢着される孔６３が設けられ、外側ハンドル６１には、図７において左側面に手掛け用突起６４，右側面に連結用突起６５が形成される。
連結用突起６５は、内側ハンドル５４の長孔５８に挿入されるので（図６参照）、内側ハンドル５４と外側ハンドル６１は、一体となって回動する。
【００２５】
外側ハンドル６１の上端に、レトラクタ４４の被押動壁４６ａに接触する押動部６６が形成され、外側ハンドル軸５３に巻回されるスプリング６７の一端６７ａが、外側ハンドル６１の凹部６２に圧接し、他端６７ｂが外側エスカッション３の内壁面に圧接する。
従って、外側ハンドル６１は外側ハンドル軸５３を支点として図１において反時計方向に付勢される。
【００２６】
以上のように構成された戸先錠の作用を、引き戸Ｄの開放状態，引き戸Ｄの閉鎖動作，引き戸Ｄの開放動作、引き戸Ｄ閉鎖時の施錠及び解錠操作の順に説明する。
引き戸Ｄの開放状態では、トリガスプリング１６が付勢されたトリガ１３の先端がフロント５より突出し、トリガ１３に係合するカムプレート１８及びカムプレート１８に係合するレトラクタ４４は図１の実線位置にある。
【００２７】
内側ハンドル５４及び外側ハンドル６１は図４及び図１の実線位置にあるので、押動部５９及び押動部６６は、レトラクタ４４の被押動壁４６ａから離隔している。
鎌金２３は図１の実線位置の解錠角度にあり、押圧用スプリング２８の一端２８ａが鎌金２３の平面部２６に圧接している。
従って、鎌金２３は解錠角度に保持されている。
【００２８】
引き戸Ｄを締めると（このとき、内側ハンドル５４及び外側ハンドル６１は実線位置のままである）、引き戸Ｄが閉鎖される前に、突出しているトリガ１３が框側のストライクＳに当たり、後退し始める。
トリガ１３が後退すると、カムプレート１８が支軸１７を支点として図１において反時計方向に回動し、カムプレート１８に枢着された鎌金２３が時計方向に回動して図１の鎖線位置に近づき、平面部２５が押圧スプリング２８の一端２８ａに押されるようになったときに、鎌金２３が図１の鎖線で示す施錠角度に一挙に回動し、鎌金２３の係合部２９が框側のストライクＳの受け孔に係合し、引き戸Ｄが自動的に仮施錠される。
【００２９】
鎌金２３が施錠位置に回動したときに、カムプレート１８及びレトラクタ４４は図１の鎖線位置に回動し、カムプレート１８に係合するトリガ１３は錠ケース１内に収容され、レトラクタ４４の被押動壁４６ａが、実線位置にある内側ハンドル５４の押動部５９及び外側ハンドル６１の押動部６６にほぼ接触するまで接近する。
戸先錠は未だ本施錠されていないので、エマージェンシイプラグ３７の切欠部３９が、図１に示すように上向きになっており、レトラクタ４４の実線位置への回動を妨げない。
【００３０】
このように引き戸Ｄが閉鎖され仮施錠された状態のときに、内側ハンドル５４及び外側ハンドル６１のうちいずれか一方を引き戸Ｄを開ける方向に操作すると、内側ハンドル５４と外側ハンドル６１が同時に鎖線位置に移動し（図４，図１参照）、押動部５９及び６６が鎖線位置にあるレトラクタ４４の被押動壁４６ａを押動し、レトラクタ４４が実線位置に回動復帰を始める。
【００３１】
フロント５とストライクＳの間には、ストライクＳと係合部２９が係合する位置において隙間が形成される（図１参照）ため、カムプレート１８はトリガ１３がストライクＳに当接するまで回動可能である。
従って、カムプレート１８及び鎌金２３の回動により係合部２９とストライクＳとの係合が解除されると同時に、内側ハンドル５４と外側ハンドル６１の操作力を受けた引き戸Ｄが開放方向に移動を始め、これに伴ってトリガ１３が突出し始める。
鎌金２３が実線で示す解錠角度に近づくと押圧用スプリング２８の押動力により一挙に解錠角度に復帰し、鎌金２３が没入した解錠角度に保持される。かくして、引き戸Ｄは図１の開放状態に戻る。
【００３２】
閉鎖され、仮施錠されている引き戸Ｄを室内側から本施錠するには、サムターン３４の摘み３５を回動すると、サムターン３４と一体となって回動するエマージェンシイプラグ３７の切欠部３９が図１の上向き姿勢から横向きになり、ジェンシイプラグ３７の外周面がレトラクタ４４が鎖線位置に移動するのを阻止し、引き戸Ｄが本施錠される。
この状態では、内側ハンドル５４或いは外側ハンドル６１を操作することができない。
【００３３】
サムターン３４を元の角度に回動復帰させると、仮施錠状態に戻る。
室外側から本施錠を非常解錠するには、エマージェンシイプラグ３７のスリット４１にスクリュウドライバの先端やコインを挿入してエマージェンシイプラグ３７を解錠方向に回動すればよい。
【００３４】
【発明の効果】
本発明は以上のように構成されているので、以下に記載されるような効果を奏する。
(1) カムプレートがスプリングを介さないでトリガに係合し、鎌金はカムプレートに枢着されているので、引き戸を激しく閉鎖しても一部の部品が動揺することはなく、引き戸が跳ね返る前に鎌金がストライクに確実に係合するので、引き戸Ｄが仮施錠されない虞がない。
【００３５】
(2) 内側及び外側ハンドルは、引き戸の開放方向と同じ方向に操作されるので、引き戸の操作性がよい。
(3) 鎌金は施錠角度或いは解錠角度に近づいたときに、施錠角度或いは解錠角度に付勢され、且つ、保持されるので、仮施錠及びその解錠動作が不十分になる虞はなく、確実であるので操作性がよい。
【図面の簡単な説明】
【図１】開扉状態における戸先錠の要部を破断して室外側から見た図面である。
【図２】図１の一部を破断したＸ矢視図である。
【図３】戸先錠を引き戸の端面側から見た図面である。
【図４】戸先錠を引き戸の室内側から見た図面である。
【図５】戸先錠を引き戸の室外側から見た図面である。
【図６】戸先錠のエスカッション部分の横断面図である。
【図７】戸先錠を構成する主要部品の斜視図である。
【図８】戸先錠の従来例を示す横断面図である。
【図９】図８の戸先錠の要部を示す縦断面図である。
【符号の説明】
Ｄ                引き戸
Ｓ                スタライク
１                錠ケース
２                内側エスカッション
３                外側エスカッション
５                フロント
１３              トリガ
１６              トリガスプリング
１７              支軸
１８              カムプレート
２２              ピン軸
２３              鎌金
２５，２６        平面部
２８              押圧用スプリング
２９              係合部
３４              サムターン
３５              摘み
３７              エマージェンシイプラグ
３９              切欠部
４２              枢軸
４４              レトラクタ
４６ａ            被押動壁
５０，５１        凹部
５４              内側ハンドル
５７              手掛け用突起
５９              押動部
６１              外側ハンドル
６５              手掛け用突起
６６              押動部
【図１】
0003648318.tif 000002
【図２】
0003648318.tif 000003
【図３】
0003648318.tif 000004
【図４】
0003648318.tif 000005
【図５】
0003648318.tif 000006
【図６】
0003648318.tif 000007
【図７】
0003648318.tif 000008
【図８】
0003648318.tif 000009
【図９】
0003648318.tif 000010